(57)【要約】      （修正有）【課題】基板の折り曲げ構成を特定の構成に限定することなく、確実に基板間の電気的接続であるＢｔｏＢコネクタの接続を保持することが可能な電子機器を提供する。【解決手段】メイン基板２０４とセンサ基板２０２のコネクタ実装部７０１は、第1のコネクタと第2のコネクタが、メイン基板２０４とセンサ基板２０２の実装部７０１が対向するように嵌合されることで接続される。カード基板１１０１の凸形状部１４０１は、センサ基板２０２のコネクタ実装部７０１を挟んでコネクタ実装部７０１における第２のの実装面に対して反対側に位置する。更に、第１のコネクタと第２のコネクタの嵌合面の対角線上に位置する。カード基板１１０１の凸形状部１４０１とセンサ基板２０２のコネクタ実装部７０１との距離は、第１のコネクタと第２のコネクタの嵌合長よりも短い。【選択図】図１４
2013130797.tif 000002
【特許請求の範囲】
【請求項１】
第１のコネクタが実装された第１の基板と、第２のコネクタが実装された第２の基板と、第３の基板とを備える電子機器であって、
前記第１の基板と前記第２の基板は、前記第１のコネクタと前記第２のコネクタが、前記第１の基板と前記第２の基板が対向するように嵌合されることで接続され、
前記第３の基板は、突き当て部を備え、
前記第３の基板の前記突き当て部は、前記第２の基板を挟んで前記第２の基板における前記第２のコネクタの実装面に対して反対側に位置すると共に、前記第１のコネクタと前記第２のコネクタの嵌合面の対角線上に位置し、
前記第３の基板の前記突き当て部と前記第２の基板との距離は、前記第１のコネクタと前記第２のコネクタの嵌合長よりも短く構成されていることを特徴とする電子機器。
【請求項２】
撮像素子が配置される撮像レンズ鏡筒を備え、
前記撮像レンズ鏡筒の被写体側を前面側とし前記撮像素子の配置側を後面側とした場合に、前記撮像素子は前記第２の基板に実装され、
前記第１の基板は、前記電子機器の主回路基板であり、
前記第２の基板は、撮像素子パッケージが取り付けられる取付部と、前記第２のコネクタが実装される接続部とを備え、前記取付部と前記接続部は、直交した状態に配置されると共に、フレキシブル配線板により接続され、
前記第３の基板は、前記第２の基板の前記取付部の後面側かつ前記接続部の上面側に配置されると共に、前記撮像レンズ鏡筒の光軸に対して一定角度の傾きを有して配置され、
前記一定角度は、前記第１のコネクタと前記第２のコネクタの嵌合面の対角線が前記光軸となす角度と等しいことを特徴とする請求項１に記載の電子機器。
【請求項３】
前記第３の基板には、前記電子機器の撮像情報を記録する記録媒体が着脱可能に接続される記録媒体スロットが実装されていることを特徴とする請求項１又は２に記載の電子機器。
【発明の詳細な説明】
【技術分野】
【０００１】
本発明は、デジタルビデオカメラに適用される電子機器に関する。
【背景技術】
【０００２】
近年、デジタルビデオカメラをはじめとする撮像装置においては、撮像装置内の基板に実装される電気回路の大規模化や高密度化に伴い、基板間の電気的接続にボード・トゥ・ボード（以下ＢｔｏＢ）コネクタが用いられることが多くなっている。ＢｔｏＢコネクタは、互いに接続されるそれぞれの基板に実装されたコネクタを相互に嵌合させて接続するもので、狭ピッチ、多端子への対応が可能で、接続作業が簡単であるという特徴があり、高密度大規模回路を有する電子機器に多く用いられている。
【０００３】
しかしながら、ＢｔｏＢコネクタは接続後のコネクタの浮きや外れを防止するためのロック機構等を特に持たないので、コネクタの浮きや外れによる接続不良を防ぐため、ビス止めなどにより、接続する２枚の基板をそれぞれしっかり固定する必要がある。このため、組立作業性の低下やコスト上昇、更には機器の大型化の原因となるという問題がある。
【０００４】
そのようなＢｔｏＢコネクタの接続不良を防ぐために以下に示すような提案がなされている（例えば、特許文献１参照）。特許文献１によれば、電子機器においてフレキシブル基板に曲げにより生じた弾性力を利用して、フレキシブル基板上に配置されたコネクタを、部品実装基板上に配置されたコネクタに対して押さえ込むことで、コネクタの浮きや外れが生じないようにしている。
【先行技術文献】
【特許文献】
【０００５】
【特許文献１】特開２００１−１１９１１７号公報
【発明の概要】
【発明が解決しようとする課題】
【０００６】
しかしながら、特許文献１記載の電子機器においては、弾性力を利用するためのフレキシブル基板に相応の固さが必要とされる。また、前記フレキシブル基板は１８０度折り曲げられた状態でのみ実現可能な構成で、更に実装部品から突起を出す必要があるなど、適用可能な構成が限定される。更に、ＢｔｏＢの嵌合が、基板同士の互いのコネクタが離間する方向の押さえにはなるものの、回転方向で接続不良を起こすことに対する対策にはなっていないという問題があった。
【０００７】
本発明の目的は、基板の折り曲げ構成を特定の構成に限定することなく、確実に基板間の電気的接続であるＢｔｏＢコネクタの接続を保持することが可能な電子機器を提供することにある。
【課題を解決するための手段】
【０００８】
上記の目的を達成するために、本発明は、第１のコネクタが実装された第１の基板と、第２のコネクタが実装された第２の基板と、第３の基板とを備える電子機器であって、前記第１の基板と前記第２の基板は、前記第１のコネクタと前記第２のコネクタが、前記第１の基板と前記第２の基板が対向するように嵌合されることで接続され、前記第３の基板は、突き当て部を備え、前記第３の基板の前記突き当て部は、前記第２の基板を挟んで前記第２の基板における前記第２のコネクタの実装面に対して反対側に位置すると共に、前記第１のコネクタと前記第２のコネクタの嵌合面の対角線上に位置し、前記第３の基板の前記突き当て部と前記第２の基板との距離は、前記第１のコネクタと前記第２のコネクタの嵌合長よりも短く構成されていることを特徴とする。
【発明の効果】
【０００９】
本発明によれば、基板の折り曲げ構成を特定の構成に限定することなく、確実に基板間の電気的接続であるＢｔｏＢコネクタの接続を保持可能な構成を提供することができる。
【図面の簡単な説明】
【００１０】
【図１ａ】本発明の実施の形態に係るデジタルビデオカメラ１０１を示す図であり、（ａ）、（ｂ）、（ｃ）は、デジタルビデオカメラ１０１の外観斜視図である。
【図１ｂ】（ｄ）は、デジタルビデオカメラ１０１の外観斜視図、（ｅ）は、表示部１０３の開閉及び回転を行うためのヒンジ部１１４を露出させた状態の外観斜視図である。
【図２】デジタルビデオカメラ１０１の電気的構成を示すブロック図である。
【図３】（ａ）は、撮像レンズ鏡筒１０９の正面図、（ｂ）は、撮像レンズ鏡筒１０９の側面図である。
【図４】（ａ）は、図３（ａ）の矢視Ａ−Ａ線に沿う断面図、（ｂ）は、図３（ｂ）の矢視Ｂ−Ｂ線に沿う断面図である。
【図５】（ａ）、（ｂ）は、撮像素子パッケージ２０１を示す図、（ｃ）は、撮像素子パッケージ２０１の断面図、（ｄ）、（ｅ）は、センサプレート４０６を示す図である。
【図６】（ａ）、（ｂ）、（ｃ）は、撮像素子パッケージ２０１とセンサプレート４０６とを接着した状態を示す図、（ｄ）、（ｅ）は、撮像素子パッケージ２０１を接着したセンサプレート４０６を撮像レンズ鏡筒１０９に取り付けた状態を示す図である。（ｆ）は、ビス穴当接面５０７と撮像レンズ鏡筒１０９のビス穴面６０５との間の隙間６０６を示す図である。
【図７】（ａ）、（ｂ）、（ｃ）、（ｄ）、（ｅ）は、センサ基板２０２周辺の外観斜視図である。
【図８】（ａ）、（ｂ）は、弾性導電放熱部材７０７の模式図である。
【図９】（ａ）は、右側面板金部材９０１の外観斜視図、（ｂ）は、左側面板金部材９０９の外観斜視図である。
【図１０】（ａ）は、レンズ受け弾性部材１００１の側面図、（ｂ）は、レンズ受け弾性部材１００１の外観斜視図である。
【図１１】（ａ）は、右側面板金部材９０１にレンズ受け弾性部材１００１を装着した状態の外観斜視図、（ｂ）は、左側面板金部材９０９にレンズ受け弾性部材１００１を装着した状態の外観斜視図、（ｃ）は、右側面板金部材９０１の上面図である。（ｄ）は、カード基板１１０１の取り付け状態の外観斜視図、（ｅ）は、カード基板１１０１の取り付けを行う途上の外観斜視図、（ｆ）は、カード基板１１０１の取り付け状態の上面図である。
【図１２】（ａ）は、右側面板金部材９０１と左側面板金部材９０９とカメラユニットとを接続した状態の上面側斜視図、（ｂ）は、右側面板金部材９０１と左側面板金部材９０９とカメラユニットとを接続した状態の下面側斜視図である。
【図１３】（ａ）は、メイン基板２０４、三脚ねじ部材１３０１、三脚ねじ補強板金部材１３０２の展開斜視図、（ｂ）、（ｃ）は、メイン基板２０４、三脚ねじ部材１３０１、三脚ねじ補強板金部材１３０２のユニット状態の斜視図である。（ｄ）は、端子基板１３０９及びメモリユニット基板１３１０の接続状態の斜視図である。
【図１４】（ａ）は、図１２のユニットに図１３（ｄ）のユニットとカード基板１１０１を接続した図、（ｂ）は、図１４（ａ）の状態におけるセンサ基板２０２、メイン基板２０４、カード基板１１０１の位置関係を示す斜視図である。（ｃ）は、図１４（ａ）の状態の上面を示すと共にＢｔｏＢコネクタ７０２の位置関係を示す図、（ｄ）は、図１４（ａ）の状態におけるカメラユニットとカード基板１１０１、メイン基板２０４の位置関係を示す上面図である。（ｅ）は、図１４（ａ）の状態に操作部ユニット１４０３を接続した状態を示す斜視図である。
【図１５】（ａ）は、図１４（ｅ）の状態に右側面カバー１０４及び表示部１０３を接続した状態の斜視図、（ｂ）は、デジタルビデオカメラ１０１におけるバッテリ周辺部を示す底面視図、（ｃ）は、図１５（ａ）の状態の後面視図である。
【図１６】（ａ）は、バッテリ２１３の斜視図、（ｂ）は、バッテリ２１３の取り付け部の後面視図、（ｃ）は、図１６（ｂ）の矢視Ｃ−Ｃ線に沿う断面図である。（ｄ）、（ｅ）は、デジタルビデオカメラ１０１よりもバッテリ取り付け部の小さいデジタルビデオカメラ１６１３にバッテリ２１３を取り付けた際の模式図である。
【図１７】（ａ）は、図１５（ａ）の状態の右側面視図、（ｂ）は、図１７（ａ）の矢視Ｄ−Ｄ線に沿う断面図である。（ｃ）は、図１７（ａ）の状態で表示部１０３を閉じた状態での上面視での断面図、（ｄ）は、図１７（ａ）の状態で表示部１０３を除いた状態の外観斜視図である。
【図１８】図１５（ａ）の状態に前面カバー１０６を取り付けた状態を示す図である。
【図１９】（ａ）は、全てのカバーを取り付けた状態の左側面図、（ｂ）は、図１９（ａ）から左側面カバー１０７を外した状態の斜視図である。
【発明を実施するための形態】
【００１１】
以下、本発明の実施の形態を図面を参照しながら詳細に説明する。
【００１２】
図１ａ、図１ｂは、本発明の実施の形態に係るデジタルビデオカメラ１０１を示す図であり、図１ａ（ａ）、（ｂ）、（ｃ）は、デジタルビデオカメラ１０１の外観斜視図である。図１ｂ（ｄ）は、デジタルビデオカメラ１０１の外観斜視図、図１ｂ（ｅ）は、表示部１０３の開閉及び回転を行うためのヒンジ部１１４を露出させた状態の外観斜視図である。
【００１３】
図１ａ（ａ）の座標軸のうちｘ軸がデジタルビデオカメラ１０１（電子機器）の本体部の左右方向を示し、本体部の紙面手前側を右側面、紙面奥側を左側面と定義する。また、座標軸のうちｚ軸が本体部の前後方向を示し、本体部の紙面手前側を前面、紙面奥側を後面と定義する。また、ｚ軸の方向はデジタルビデオカメラ１０１の撮像光軸方向に相当する。
【００１４】
撮像光軸の中心は符号１１３として図示すると共に、以降の説明において文中及び図中で用いる撮像光軸中心１１３はすべてｚ軸を意味する。また、座標軸のうちｙ軸が本体部の上下方向を示し、本体部の紙面上側を上面、紙面下側を下面と定義する。以降の説明において文中及び図中で用いる座標軸は上記の座標軸を表し、上下左右前後の表現も上記に従うものとする。
【００１５】
図１ａ、図１ｂにおいて、デジタルビデオカメラ１０１は、本体部１０２と表示部１０３から構成されている。本体部１０２は、右側面カバー１０４、上面カバー１０５、前面カバー１０６、左側面カバー１０７を備えている。右側面カバー１０４は、本体部１０２の右側面を覆うと共に後面のバッテリ取り付け部１０８を備えている。右側面カバー１０４には、表示部１０３の開閉及び回転を行う２軸のヒンジ部１１４を介して表示部１０３が接続されている。表示部１０３は、入力手段としてタッチパネルを有する。
【００１６】
表示部１０３は、一般的なビデオカメラに用いられるもので、右側面カバー１０４に沿う形の表示部収納状態（図１ｂ（ｄ））と、開閉軸１１５を中心とした回転動作で９０度開いた状態（図１ａ（ａ）、（ｂ）、（ｃ））にすることができる。また、表示部１０３が上下方向の回転軸１１６を中心に回転動作可能に本体部１０２に接続されることで、被写体側との対面撮影等を行うことができる。
【００１７】
上述した表示部１０３の開閉及び回転動作を行うための構造を以下に記す。ヒンジ部１１４は、表示部１０３の開閉を行う開閉軸１１５と表示部１０３の回転を行う回転軸１１６を中心に回転可能な構造を有する。表示部１０３は、表示部取り付け板金部材１１７に取り付けられる。また、ヒンジ部１１４は、ヒンジカバー１１８を備えている。ヒンジカバー１１８は、ヒンジ部１１４の外観を形成すると共に内部の配線を表出させない役割を有する。
【００１８】
本体部１０２の前面カバー１０６に設けられた開口部の奥側に、撮像レンズ鏡筒１０９が配置されている。右側面カバー１０４の表示部収納面には、記録媒体としての外部メモリカードを出し入れするためのメモリカード取り出し部１１０（開口部）が設けられている。また、右側面カバー１０４の表示部収納面には、外部入出力端子開口部１１１が設けられている。左側面カバー１０７における本体部１０２の後ろ寄りの下方には、電源入力端子１１２が設けられている。
【００１９】
図２は、デジタルビデオカメラ１０１の電気的構成を示すブロック図である。
【００２０】
図２において、撮像素子パッケージ２０１は、センサ基板２０２の主面（取付部）に実装されており、デジタルビデオカメラ１０１による撮影に伴い撮像レンズ鏡筒１０９から入射した被写体情報（被写体光）を電気信号に光電変換する。ＡＤ変換素子２０３は、センサ基板２０２に実装されており、撮像素子パッケージ２０１の出力信号をデジタル信号に変換する。
【００２１】
カメラ情報処理ＩＣ２０５は、メイン基板２０４に実装されており、ＡＤ変換素子２０３から出力されるデジタル信号を画像情報として処理する。ビデオ信号処理ＩＣ２０６は、メイン基板２０４に実装されており、画像情報をビデオ信号化する。システムマイクロコンピュータ２００は、メイン基板２０４に実装されており、デジタルビデオカメラ１０１全体を制御する。
【００２２】
ビデオ信号化された情報は、画像として表示部１０３により表示されると共に、記録部２０７により所定の形式のファイルとして記録される。記録部２０７は、取り出しが可能な外部メモリカード２０８、取り外しできない内蔵メモリ２０９を備えている。また、ビデオ信号化された情報は、映像音声信号やファイルとして外部入出力端子２１１を介して入出力を行うことができる。
【００２３】
操作部２１０からは、撮影／再生等の種々の設定や操作が可能である。電源回路２１２は、メイン基板２０４に実装されており、電源入力端子１１２と、着脱可能なバッテリ２１３が接続されている。電源回路２１２からはメイン基板２０４を通してデジタルビデオカメラ１０１全体に電源を供給している。
【００２４】
図３（ａ）は、撮像レンズ鏡筒１０９の正面図、図３（ｂ）は、撮像レンズ鏡筒１０９の側面図である。図４（ａ）は、図３（ａ）の矢視Ａ−Ａ線に沿う断面図、図４（ｂ）は、図３（ｂ）の矢視Ｂ−Ｂ線に沿う断面図である。
【００２５】
レンズ鏡筒１０９は、本実施の形態では、インナーフォーカス方式のレンズ鏡筒を採用しており、被写体側から像面側に向けて光軸に沿って１群レンズ４０１、２群レンズ４０２、防振レンズ４０３、及びアフォーカルレンズ４０４が配置されている。アフォーカルレンズ４０４の後方には、レンズ光学系を通過した光学像を電気信号に変換する撮像素子パッケージ２０１が配置されている。そして、１群レンズ４０１及び撮像素子パッケージ２０１の位置は固定され、２群レンズ４０２及びアフォーカルレンズ４０４が光軸方向に移動することでズーム動作及び合焦動作を行う。
【００２６】
具体的には、１群レンズ４０１は、固定鏡筒３０１に固定され、２群レンズ４０２は、第２鏡筒３０２に保持されて光軸方向に移動可能とされ、第２鏡筒３０２の後方側には、絞りユニット４０５が配置されている。絞りユニット４０５の後方側には、防振レンズ４０３が防振アクチュエータによって光軸と直交する方向に移動可能に保持され、防振レンズ４０３の後方側には、アフォーカルレンズ４０４が配置されている。アフォーカルレンズ４０４は、第３鏡筒３０３の内部で光軸方向に移動可能に設けられ、また、第３鏡筒３０３には、撮像素子パッケージ２０１が貼り付けられた素子貼り付け板接着固定されたセンサプレート４０６が取り付けられる。
【００２７】
１群レンズ４０１は、図３に示すように、後方に向けて縮径され、また、固定鏡筒３０１のカメラ本体１０２の右側面の側に位置する右側壁には、ｙ軸に平行な軸を中心とする円弧状の切り欠き部４０７が形成されている。
【００２８】
また、第２鏡筒３０２のカメラ本体１０２の右側面の側に位置する右側壁は、固定鏡筒３０１の切り欠き部４０７が形成された右側壁に光軸方向に接しており、第２鏡筒３０２の右側壁の内面には、反射防止用の遮光形状部４０８が形成されている。本実施の形態では、第２鏡筒３０２の右側壁を光軸に近づけることにより、カメラ本体１０２の小型化を可能にしている。また、第２鏡筒３０２の右側壁を光軸に近づけることにより、レンズ鏡筒１０９の内面での不要光の反射によるフレアやゴーストが起きやすくなるが、遮光形状部４０８により、反射光を遮断してフレアやゴーストを低減している。
【００２９】
第３鏡筒３０３は、光軸方向の前方がアフォーカルレンズ４０４の移動領域とされ、後方が撮像素子パッケージ２０１の取り付け領域４１３とされている。取り付け領域４１３には、赤外吸収ガラス４０９の収納部４１０、撮像素子パッケージ２０１の収納部４１１、素子貼り付け板センサプレート４０６の取り付け部が設けられる。
【００３０】
図５（ａ）、（ｂ）は、撮像素子パッケージ２０１を示す図、図５（ｃ）は、撮像素子パッケージ２０１の断面図、図５（ｄ）、（ｅ）は、センサプレート４０６を示す図である。
【００３１】
図５において、撮像素子パッケージ２０１は、保護ガラス５０１、ベース部材５０２、リード５０３、撮像素子５０４から構成されている。ベース部材５０２には、撮像素子５０４が配置され、そのチップ５０４の裏面側には、センサプレート４０６に対する取り付け面５０５が設けられている。これにより、センサプレート４０６とチップ５０４との距離が精度良く保たれるように構成されている。
【００３２】
センサプレート４０６は、センサ取り付け面５０６、光軸方向の後方側に絞り加工で段差をなすように形成されたビス穴当接面５０７を備えている。また、センサプレート４０６は、接着剤充填穴５０８、変形防止穴５０９を備えている。また、上記の段差を形成するために、センサプレート４０６には、段差接続部５１０が例えば４箇所形成されている。また、センサプレート４０６は、位置決め穴５１１、回転止め５１２、ビス穴５１３を備えている。これらの用途は図６を用いて後述する。
【００３３】
図６（ａ）、（ｂ）、（ｃ）は、撮像素子パッケージ２０１をセンサプレート４０６に接着した状態を示す図、図６（ｄ）、（ｅ）は、撮像素子パッケージ２０１を接着したセンサプレート４０６を撮像レンズ鏡筒１０９に取り付けた状態を示す図である。図６（ｆ）は、ビス穴当接面５０７と撮像レンズ鏡筒１０９のビス穴面６０５との間の隙間６０６を示す図である。
【００３４】
図６において、センサプレート４０６は、撮像素子パッケージ２０１を撮像レンズ鏡筒１０９に位置決め固定する部材である。センサプレート４０６の位置決め穴５１１を基準に、撮像素子パッケージ２０１を位置合わせして、撮像素子パッケージ２０１とセンサプレート４０６とを接着する。
【００３５】
即ち、撮像素子パッケージ２０１の取り付け面５０５（図５（ｃ））とセンサプレート４０６のセンサ取り付け面５０６とを接触させた状態で、接着剤充填穴５０８に接着剤を充填する。これにより、撮像素子パッケージ２０１とセンサプレート４０６とを接着する。
【００３６】
そして、位置決め穴５１１及び回転止め穴５１２をそれぞれ撮像レンズ鏡筒１０９に形成された位置決めボス６０１及び回転止めボス６０２に嵌め込み、ビス挿通穴５１３から挿入したタップビス６０３を撮像レンズ鏡筒１０９にねじ込む。撮像レンズ鏡筒１０９の光軸と撮像素子パッケージ２０１の撮像面の光軸方向の位置決めは、次のように行う。即ち、センサ取り付け面５０６のうち、撮像素子パッケージ２０１が取り付けられることなく露出した領域を撮像レンズ鏡筒１０９の第３鏡筒部材３０３の当接面６０４に当接させることで行う。
【００３７】
センサ取り付け面５０６とビス穴当接面５０７との間には段差が設けられている。センサ取り付け面５０６とビス穴当接面５０７が両方とも初期状態（ビス止め前の状態）で撮像レンズ鏡筒１０９の第３鏡筒部材３０３と接触することは、部品の量産加工精度上から困難である。
【００３８】
また、当接面５０７のみが撮像レンズ鏡筒１０９の第３鏡筒３０３に当接する寸法関係だと、第３鏡筒３０３の当接面６０４とセンサプレート４０６の取り付け面５０６との間に隙間が生じる。その結果、レンズ鏡筒１０９の光軸と撮像素子パッケージ２０１の撮像面の光軸方向の距離関係に影響が生じる。
【００３９】
本実施の形態では、必ず第３鏡筒３０３の当接面６０４とセンサプレート４０６の取り付け面５０６とを当接させる。このため、センサプレート４０６の当接面５０７と第３鏡筒３０３のビス穴面６０５との間に隙間６０６が生じるか、もしくは隙間６０６がゼロで接触するような寸法公差としている。
【００４０】
これにより、センサプレート４０６を撮像レンズ鏡筒１０９の第３鏡筒部材３０３に取り付けると、センサプレート４０６のビス穴当接面５０７が変形する。その変形が接着剤充填穴５０８に及ぶと、接着強度が著しく下がり、場合によっては剥離してしまうという問題がある。
【００４１】
そこで、上述したように、センサプレート４０６には変形防止穴５０９（図５（ｄ）、図６（ｃ））を設けることで、段差接続部５１０と接着剤充填穴５０８の距離を離すことが可能である。接着材充填穴５０８は、段差接続部５１０に近い側５１４の方を遠い側５１５よりも大きな円弧形状に形成することによって、接着剤充填面積を確保しつつ段差接続部５１０の変形を接着剤充填穴５０８に伝えない構成とすることが可能である。
【００４２】
つまり、図６（ｃ）に示す通り、撮像素子パッケージ２０１をセンサプレート４０６に取り付けた状態において次の距離関係となる。段差接続部５１０に近い側５１４と撮像素子パッケージ２０１の中心との距離６０８の方が、段差接続部５１０に遠い側５１５と撮像素子パッケージ２０１の中心との距離６０９よりも短いことになる。
【００４３】
更に、段差接続部５１０をビス穴５１３に対してデジタルビデオカメラ１０１の本体部１０２のｘ軸方向及びｙ軸方向に形成することが可能なように、変形防止穴５０９は構成されている。そして、段差接続部５１０がビス穴５１３の中心よりも撮像光軸中心１１３からｘ軸方向及びｙ軸方向に沿った距離が遠い場所に形成することが可能なように、変形防止穴５０９は構成されている。
【００４４】
段差接続部５１０が直交するｘ軸方向及びｙ軸方向の２方向に構成されることによって、段差接続部５１０がｘ軸回り及びｙ軸回りに回転変形する要素を抑制し合う。更に、ビス穴５１３に挿通されたタップビス６０３によってビス穴当接面５０７がビス穴面６０５に対して変形する際、ビス穴当接面５０７を光軸に沿って平行移動しやすくすることが可能である。
【００４５】
図７（ａ）、（ｂ）、（ｃ）、（ｄ）、（ｅ）は、センサ基板２０２周辺の外観斜視図である。
【００４６】
図７において、センサ基板２０２には、撮像素子パッケージ２０１がセンサプレート４０６に取り付けられた状態で実装されている。即ち、センサ基板２０２は、撮像素子パッケージ２０１が接着されたセンサプレート４０６が取り付けられる取付面（取付部）と、後述の第２のコネクタ２０２ａ（図１２（ｂ））が実装されるコネクタ実装部７０１（接続部）とを備えている。
【００４７】
センサ基板２０２の取付面（取付部）とコネクタ実装部７０１（接続部）は、直交した状態に配置されると共に、フレキシブル配線板）により接続される。また、後述のカード基板１１０１（図１１（ｄ））は、センサ基板２０２の取付面（取付部）の後面側かつコネクタ実装部７０１（接続部）の上面側に配置される。
【００４８】
また、センサ基板２０２には、撮像素子パッケージ２０１により光電変換された信号をデジタル信号にＡＤ変換するＡＤ変換素子２０３及び周辺回路が実装されている。ＡＤ変換素子２０３は、センサ基板２０２における撮像素子パッケージ２０１の実装面とは反対側の実装面に実装されている。
【００４９】
センサ基板２０２のＡＤ変換素子２０３によりＡＤ変換された映像信号は、コネクタ実装部７０１に実装されたＢｔｏＢコネクタ７０２を介して、図７（ｃ）に示すようにメイン基板２０４に接続される。メイン基板２０４のレイアウトに関しては後述する。ＢｔｏＢコネクタ７０２は、メイン基板２０４に実装された第１のコネクタ２０４ａ（図１３（ａ））と嵌合する、センサ基板２０２のコネクタ実装部７０１に実装された第２のコネクタ２０２ａ（図１２（ｂ））から構成される。第１のコネクタ２０４ａ及び第２のコネクタ２０２ａについては後述する。
【００５０】
また、センサ基板２０２には、センサ放熱板７０３がビス留めされている。図７（ｄ）に示すように、センサ放熱板７０３は、センサ基板２０２に平行な主面７０４と、右側面及び左側面に延びた放熱腕部７０５及び７０６（放熱部）を備えている。センサ放熱板７０３が配置される位置関係は、撮像レンズ鏡筒１０９の後面側（撮像素子の配置側）とカード基板１１０１の間となる。
【００５１】
センサ放熱板７０３の主面７０４におけるＡＤ変換素子２０３と対向する個所に絞り７０８を付加することで、センサ放熱板７０３をＡＤ変換素子２０３に近付けることが可能になっている。このように構成することによって、ＡＤ変換素子２０３の放熱を効率よく行うことが可能である。
【００５２】
ここまで説明した撮像レンズ鏡筒１０９からセンサ放熱板７０３までの一体的な構造を一つのカメラユニットと称し、後述するようにカメラユニットとその他の構造部材は弾性部材を用いた接続がなされることで、弾性的に接続されている。
【００５３】
撮像素子パッケージ２０１は、ＣＭＯＳやＣＣＤを使用しているため、撮像素子自体が発する熱によってノイズ等が増え、画質が低下するという問題がある。また、センサ基板２０２上の回路も発熱して撮像素子パッケージ２０１に熱を供給するため、撮像素子パッケージ２０１及びセンサ基板２０２周辺の熱を放熱する必要がある。上述したセンサ放熱板７０３だけでは放熱が不十分であることが多く、熱を他の構造部材に放熱する必要がある。
【００５４】
上述した通り、カメラユニットは構造部材に対して弾性的に接続されているため、放熱も弾性を損なわないような方法で行う必要がある。また、センサ基板２０２が発する電気ノイズを低減するためには、センサ基板２０２とメイン基板２０４とのコネクタ実装部７０１での接続だけでは不十分で、構造部材にセンサ基板２０２のグランド配線を導通させる必要がある場合が多い。
【００５５】
この導電に関しても上記の放熱と同様に弾性的な接続状態を損なわないように行う必要がある。そこで、センサ放熱板７０３の放熱腕部７０５及び７０６に図７（ｅ）のような弾性導電放熱部材７０７を取り付けることによって、カメラユニットの周辺にある構造部材と弾性的に導電及び放熱を行うことができる。
【００５６】
図８（ａ）、（ｂ）は、弾性導電放熱部材７０７の模式図である。
【００５７】
図８において、弾性導電放熱部材７０７は、０．０５ｍｍから０．３ｍｍ程度のプラスチックシート８０１に０．０５ｍｍから０．５ｍｍ程度の金属箔８０２を貼り付けたものを、次のように折り曲げた部材である。
【００５８】
即ち、弾性導電放熱部材７０７は、図８（ａ）に示すように金属箔８０２の面が外側を向くように折り曲げ、内側に両面テープ８０３を貼り付けた弾性部材８０４を挟んだ部材である。両面テープ８０３は、金属箔８０２及びプラスチックシート８０１に対して、両面テープ８０３が一部露出するように貼り付けられる。この露出個所を用いてセンサ放熱板７０３に弾性導電放熱部材７０７を貼り付ける。
【００５９】
弾性導電放熱部材７０７の金属箔８０２は、銅箔あるいはアルミ箔等の高熱伝導性及び低導電抵抗の金属を用いる。また、弾性導電放熱部材７０７の内側に挟まれた弾性部材８０４は、発泡ウレタンあるいはスポンジ等の弾性材を用いる。
【００６０】
図８（ｂ）に示すように、弾性導電放熱部材７０７は、センサ放熱板７０３に対して両面テープ８０３で貼り付けられると共に金属箔８０２の部分が接触している。そして、センサ放熱板７０３の放熱腕部７０５及び７０６と対向する面の構造部材８０５にも、弾性導電放熱部材７０７の金属箔８０２の部分が対向する。弾性導電放熱部材７０７の内側に挟まれた弾性部材８０４によって構造部材８０５に付勢されることで、導電及び放熱を行うことが可能である。
【００６１】
また、弾性導電放熱部材７０７は、図８（ａ）、（ｂ）に示すように略Ｕ字形状を有している。弾性導電放熱部材７０７のＵ字形状部における接続されている側８０６が、熱源である撮像素子パッケージ２０１やセンサ基板２０２と近いセンサ放熱板７０３の主面７０４側になるように貼り付ける。これにより、放熱効果を高めることが可能である。
【００６２】
また、金属箔８０２の支持材としてプラスチックシート８０１を用いることによって、金属箔８０２の塑性変形を防止し、内側に挟まれた弾性部材８０４の反発力を妨げないように構成されている。このように構成することによって、弾性的に導電かつ放熱を１つの部材で行うことが可能で、放熱ゴムやガスケットを併用せず、安価かつ省スペースに実現することが可能である。
【００６３】
尚、本実施の形態では、弾性導電放熱部材７０７において弾性部材８０４に１枚の両面テープ８０３を貼り付けた最も単純な構成を示したが、これに限定されるものではない。２枚の両面テープで弾性部材８０４を挟む構成、１枚の長い両面テープで弾性部材８０４を包む構成などでもよい。
【００６４】
次に、デジタルビデオカメラ１０１のカメラユニットを本体部１０２に接続するための構造部材について説明する。
【００６５】
図９（ａ）は、右側面板金部材９０１の外観斜視図である。尚、図中に示す座標軸は図１に示した座標軸に相当する。
【００６６】
図９（ａ）において、まず、カメラユニットの本体右側面側に位置する右側面板金部材９０１について説明する。右側面板金部材９０１を形成する材料としては、熱伝導性の高い材料（例えばアルミ合金や銅合金など）を用いる。右側面板金部材９０１は、前面側から見た形状が略コの字形状を有する。右側面板金部材９０１の右側面側には、主たる面９０２が形成され、上面側には、前後に２箇所の上面部９０３及び９０４が形成され、下面側には、下面部９０５が形成されている。
【００６７】
また、右側面板金部材９０１には、後ろ側の上面部９０３から一定角度を有して曲げられた曲げ部９０６が形成され、下面部９０５には、上記一定角度と同じ角度で設けられた引っ掛けスリット９０７が形成されている。引っ掛けスリット９０７の用途については後述する。また、右側面板金部材９０１の主たる面９０２には、２箇所の穴部９０８が形成され、この穴部９０８には、後述のレンズ受け弾性部材が配置される。
【００６８】
即ち、右側面板金部材９０１の上面部９０３に対して形成された曲げ部９０６は、後述のカード基板１１０１における撮像レンズ鏡筒１０９の光軸に対してなす一定角度と同じ角度を有して設けられている。後述のカード基板１１０１は、曲げ部９０６に接続される。
【００６９】
図９（ｂ）は、左側面板金部材９０９の外観斜視図である。尚、図中に示す座標軸は図１に示した座標軸に相当する。
【００７０】
図９（ｂ）において、次に、デジタルビデオカメラ１０１のカメラユニットの本体左側面側に位置する左側面板金部材９０９について説明する。左側面板金部材９０９を形成する材料としては、右側面板金部材９０１と同様に、熱伝導性の高い材料（例えばアルミ合金や銅合金など）を用いる。左側面板金部材９０９は、前面側から見た形状が略逆コの字形状を有する。左側面板金部材９０９の左側面側には、主たる面９１０が形成され、上面側には、前後に２箇所の上面部９１１及び９１２が形成され、下面側には、下面部９１３が形成されている。
【００７１】
また、左側面板金部材９０９の下面部９１３には、右側面板金部材９０１のスリット９０７と同じ角度で引っ掛けスリット９１４が形成されている。引っ掛けスリット９１４の用途については後述する。左側面板金部材９０９の主たる面９１０には、１箇所の穴部９１５が形成され、この穴部９１５には、後述のレンズ受け弾性部材が配置される。
【００７２】
即ち、デジタルビデオカメラ１０１の撮像レンズ鏡筒１０９は、上述した構造を有する、右側面に主となる面を有する右側面板金部材９０１と左側面に主となる面を有する左側面板金部材９０９により挟持される。
【００７３】
図１０（ａ）は、レンズ受け弾性部材１００１の側面図、図１０（ｂ）は、レンズ受け弾性部材１００１の外観斜視図である。
【００７４】
図１０において、レンズ受け弾性部材１００１は、大小中の同心円の円柱部である大円柱部１００２、小円柱部１００３、中円柱部１００４を組み合わせた部材であり、その中心に穴１００５が貫通した形状を有する。また、レンズ受け弾性部材１００１の最外形部の外周及び穴１００５の端部１００６には、呼び込みのＣ面が付加されている。
【００７５】
図１１（ａ）は、右側面板金部材９０１にレンズ受け弾性部材１００１を装着した状態の外観斜視図、図１１（ｂ）は、左側面板金部材９０９にレンズ受け弾性部材１００１を装着した状態の外観斜視図、図１１（ｃ）は、右側面板金部材９０１の上面図である。図１１（ｄ）は、カード基板１１０１の取り付け状態の外観斜視図、図１１（ｅ）は、カード基板１１０１の取り付けを行う途上の外観斜視図、図１１（ｆ）は、カード基板１１０１の取り付け状態の上面図である。
【００７６】
図１１において、撮像レンズ鏡筒１０９側にレンズ受け弾性部材１００１の接触面の大きな大円柱部１００２を配するように、レンズ受け弾性部材１００１を右側面板金部材９０１の穴部９０８に挿通する。レンズ受け弾性部材１００１の小円柱部１００３が右側面板金部材９０１に当たり、レンズ受け弾性部材１００１の大円柱部１００２と中円柱部１００４の間に右側面板金部材９０１が挟まれるように構成される。
【００７７】
同様に、撮像レンズ鏡筒１０９側にレンズ受け弾性部材１００１の接触面の大きな大円柱部１００２を配するように、レンズ受け弾性部材１００１を左側面板金部材９０９の穴部９１５に挿通する。レンズ受け弾性部材１００１の小円柱部１００３が左側面板金部材９０９に当たるように構成される。
【００７８】
図１１（ｃ）に示すように、右側面板金部材９０１の後ろ側の上面部９０３に形成された曲げ部９０６の角度は、光軸に対して約６５度の角度１１０７を成している。また、図９（ａ）に示したように、曲げ部９０６を上面視した際、曲げ部９０６に対向する下面部９０５側に引っ掛けスリット９０７を設けている。
【００７９】
図１１（ｄ）に示すように、右側面板金部材９０１の曲げ部９０６、引っ掛けスリット９０７と、左側面板金部材９０９のスリット９１４には、カード基板１１０１（第３の基板、記録媒体装着部）が接続される。カード基板１１０１には、メモリカードスロット１１０２（記録媒体スロット）が実装されている。メモリカードスロット１１０２には、デジタルビデオカメラ１０１の撮像情報を記録する外部メモリカード２０８（記録媒体）が着脱可能に装着される。
【００８０】
図１１（ｅ）に示すように、カード基板１１０１に設けられた差し込み部１１０７を、引っ掛けスリット９０７と引っ掛けスリット９１４に挿通してから、曲げ部９０６（図１１（ｃ））にカード基板１１０１を押し当ててビス（不図示）によって締結する。
【００８１】
右側面板金部材９０１の曲げ部９０６と引っ掛けスリット９０７及び左側面板金部材９０９の引っ掛けスリット９１４が、撮像レンズ鏡筒１０９の光軸に対して傾いている。そのため、カード基板１１０１は撮像レンズ鏡筒１０９の光軸に対して一定角度の傾きを有して取り付けられる。その角度は後述の通り約６５度になる。
【００８２】
上述したように、右側面板金部材９０１及び左側面板金部材９０９は、それぞれが略コの字形状及び逆コの字形状を有しており、右側面板金部材９０１及び左側面板金部材９０９が組み合わさることによってロの字形状の構造を成している。そのため、ロの字形状は平行四辺形状に変形することに対して弱いという問題がある。しかし、カード基板１１０１を撮像レンズ鏡筒１０９の光軸に対して斜めに傾けた状態に取り付けることによって、右側面板金部材９０１及び左側面板金部材９０９の筋交いとして補強の役割を担うことができる。
【００８３】
また、カード基板１１０１における撮像レンズ鏡筒１０９の光軸に対して傾けた角度である約６５度は、光軸方向から見たカード基板１１０１の投影面積が撮像レンズ鏡筒１０９の投影面積にほぼ収まるように決定された一定角度である。換言すれば、カード基板１１０１を撮像レンズ鏡筒１０９の被写体側（前面側）から見た投影面積は、撮像レンズ鏡筒１０９の投影面積と同じか小さくなるように構成されている。つまり、図１１（ｆ）に示す、右側面板金部材９０１と左側面板金部材９０９によってできた撮像レンズ収納幅１１０３が、カード基板１１０１の光軸方向に占有する幅１１０４と略等しい構成になっている。
【００８４】
カード基板１１０１における撮像レンズ鏡筒１０９の光軸に対して傾けた一定角度を、上記のように構成する。これにより、デジタルビデオカメラ１０１の本体部１０２の左右方向の幅を撮像レンズ鏡筒１０９の幅で決定される要素以上に大きくする必要がない。これにより、デジタルビデオカメラ１０１の筐体の小型化を実現することができる。尚、上記の一定角度は、ＢｔｏＢコネクタ７０２の対角線（第１のコネクタ２０４ａと第２のコネクタ２０２ａの嵌合面の対角線）が光軸となす角度と等しい。
【００８５】
カード基板１１０１は、カード基板１１０１の左側面側が撮像レンズ鏡筒１０９の前面側になり、カード基板１１０１の右側面側が撮像レンズ鏡筒１０９の後面側になるように、光軸に対し上記一定角度の傾きを有して本体部１０２に配置される。
【００８６】
また、カード基板１１０１の上下方向の高さは、カード基板１１０１の左右方向の幅１１０６よりも短く、撮像レンズ鏡筒１０９の上下方向の高さに充分収まるように構成されている。
【００８７】
また、カード基板１１０１のメモリカードスロット１１０２の実装面の反対面側（後面側）には、バックアップ用蓄電池１１０５が実装されている。バックアップ用蓄電池１１０５は、デジタルビデオカメラ１０１のＲＡＭ（不図示）に書き込まれた情報を外部電源が接続されていない状態でも保持可能にするための蓄電池である。
【００８８】
図１２（ａ）は、右側面板金部材９０１と左側面板金部材９０９とカメラユニットとを接続した状態の上面側斜視図、図１２（ｂ）は、右側面板金部材９０１と左側面板金部材９０９とカメラユニットとを接続した状態の下面側斜視図である。
【００８９】
図１２において、撮像レンズ鏡筒１０９には、レンズ受け弾性部材１００１（図１０）の内径と嵌合する軸部１２０２が形成されている。軸部１２０２は、右側面板金部材９０１及び左側面板金部材９０９に取り付けられたレンズ受け弾性部材１００１に挿通される。右側面板金部材９０１及び左側面板金部材９０９は、カメラユニット上面側では図１２（ａ）に示すように締結され、カメラユニット下面側では図１２（ｂ）に示すように締結されている。
【００９０】
カメラユニット上面側では、右側面板金部材９０１の後ろ側の上面部９０３と、左側面板金部材９０９の後ろ側の上面部９１１が、引っ掛け爪によって引っ掛け接続されている。また、右側面板金部材９０１の前側の上面部９０４と、左側面板金部材９０９の前側の上面部９１２が、引っ掛け爪によって引っ掛け接続されている。カメラユニット下面側では、右側面板金部材９０１の下面部９０５と、左側面板金部材９０９の下面部９１３が、ビス１２０１によって締結されている。
【００９１】
右側面板金部材９０１及び左側面板金部材９０９とカメラユニットは、レンズ受け弾性部材１００１を介してのみ接続されることで、弾性的な接続状態をなしている。
【００９２】
このように接続することによって、右側面板金部材９０１と左側面板金部材９０９に接続された後述の外装部品等のストレスを撮像レンズ鏡筒１０９及びカメラユニットに伝えにくくすることができる。これと共に、撮像レンズ鏡筒１０９の発する振動や騒音を外装部品に伝えることを低減することが可能である。
【００９３】
尚、図１２（ｂ）に示すように、センサ基板２０２（第２の基板）のコネクタ実装部７０１（第２の基板）には、メイン基板２０４に実装されている後述の第１のコネクタ２０４ａ（図１３（ａ））に嵌合する第２のコネクタ２０２ａが実装されている。
【００９４】
図１３（ａ）は、メイン基板２０４、三脚ねじ部材１３０１、三脚ねじ補強板金部材１３０２の展開斜視図、図１３（ｂ）、（ｃ）は、メイン基板２０４、三脚ねじ部材１３０１、三脚ねじ補強板金部材１３０２のユニット状態の斜視図である。図１３（ｄ）は、端子基板１３０９及びメモリユニット基板１３１０の接続状態の斜視図である。
【００９５】
図１３において、右側面板金部材９０１と左側面板金部材９０９の下面側には、メイン基板２０４が配置される。メイン基板２０４は、図１３（ａ）、（ｂ）に示すように、三脚ねじ部材１３０１に対して三脚ねじ補強板金部材１３０２を挟んだ状態でユニット化される。このように、メイン基板２０４はユニット化された状態で右側面板金部材９０１及び左側面板金部材９０９に取り付けられる。
【００９６】
メイン基板２０４には、第１のコネクタ２０４ａが実装されている。メイン基板２０４は、センサ基板２０２（図７）に対してＢｔｏＢコネクタ７０２を介して接続される。即ち、メイン基板２０４の第１のコネクタ２０４ａと、センサ基板２０２のコネクタ実装部７０１の第２のコネクタ２０２ａが、メイン基板２０４とセンサ基板２０２のコネクタ実装部７０１が対向するように嵌合される。これにより、メイン基板２０４（第１の基板、主回路基板）と、センサ基板２０２（第２の基板）のコネクタ実装部７０１（第２の基板）が接続される。
【００９７】
また、メイン基板２０４には、撮像レンズ鏡筒１０９の駆動アクチュエータ及び駆動系位置検出手段等を接続するＦＰＣ等が接続されている。また、メイン基板２０４の下面側には、ＨＤＭＩ端子１３０３、ＵＳＢ端子１３０４、電源入力端子１１２が実装されている。
【００９８】
三脚ねじ部材１３０１は、繊維強化プラスチック等から形成されており、図１３（ｃ）に示すように、三脚回転止め部１３０５、三脚ねじ部１３０６、三脚ねじ補強板金部材取り付け部１３０７、端子補強部１３０８を備えている。三脚ねじ部１３０６は、一般的なビデオカメラ用三脚を締結可能なねじが形成されている。三脚回転止め部１３０５は、ビデオカメラ用三脚に一般的に用いられる回転止めが嵌合する凹みである。三脚ねじ部１３０６の上面は、三脚を取り付けた際に突き上げる力がかかるため、三脚ねじ補強板金部材取り付け部１３０７を取り付けて補強する。
【００９９】
端子補強部１３０８は、ＨＤＭＩ端子１３０３、ＵＳＢ端子１３０４、電源入力端子１１２それぞれの基板側と反対面を支える構成になっている。三脚ねじ部１３０６の強度及び非導通性を利用して、端子補強部１３０８を各端子に近付けて構成することが可能である。
【０１００】
三脚ねじ補強板金部材１３０２には、図１３（ｄ）に示すように、映像音声出力端子１３１１及び外部マイク入力端子１３１２を実装した端子基板１３０９が締結される。また、三脚ねじ補強板金部材１３０２には、揮発性メモリＩＣで構成された内蔵メモリ２０９（図２）を実装したメモリユニット基板１３１０も締結されている。
【０１０１】
図１４（ａ）は、図１２のユニットに図１３（ｄ）のユニットとカード基板１１０１を接続した図、図１４（ｂ）は、図１４（ａ）の状態におけるセンサ基板２０２、メイン基板２０４、カード基板１１０１の位置関係を示す斜視図である。図１４（ｃ）は、図１４（ａ）の状態の上面を示すと共にＢｔｏＢコネクタ７０２の位置関係を示す図、図１４（ｄ）は、図１４（ａ）の状態におけるカメラユニットとカード基板１１０１、メイン基板２０４の位置関係を示す上面図である。図１４（ｅ）は、図１４（ａ）の状態に操作部ユニット１４０３を接続した状態を示す斜視図である。
【０１０２】
図１４において、カメラユニットに対して右側面板金部材９０１と左側面板金部材９０９を接続した状態の下面側にメイン基板２０４が接続される。図１４（ｂ）に示すように、カード基板１１０１の下面側には、凸形状部１４０１（突き当て部）が設けられている。カード基板１１０１の凸形状部１４０１の端面は、信号線が露出しないように形成されている。そして、カード基板１１０１の凸形状部１４０１と対向する面に、センサ基板２０２のコネクタ実装部７０１に実装されたＢｔｏＢコネクタ７０２（図７）とメイン基板２０４の接続部がある。
【０１０３】
図１４（ｂ）に示すように、カード基板１１０１（第３の基板）の凸形状部１４０１（突き当て部）は、センサ基板２０２のコネクタ実装部７０１（第２の基板）を挟んで第２のコネクタ２０２ａの実装面に対して反対側に位置している。
【０１０４】
また、図１４（ｃ）に示すように、カード基板１１０１とＢｔｏＢコネクタ７０２の位置関係は、ＢｔｏＢコネクタ７０２の略対角線上（または対角線上）にカード基板１１０１の凸形状部１４０１を配置した位置関係となっている。即ち、カード基板１１０１の凸形状部１４０１は、ＢｔｏＢコネクタ７０２の対角線上（第１のコネクタ２０４ａと第２のコネクタ２０２ａの嵌合面の対角線上）に位置している。このように配置することによって、ＢｔｏＢコネクタ７０２がその短辺及び長辺を軸に回転して接続不良が起きることを防止することができる。
【０１０５】
また、カード基板１１０１の凸形状部１４０１と、ＢｔｏＢコネクタ７０２が実装されたセンサ基板２０２のコネクタ実装部７０１との距離は、ＢｔｏＢコネクタ７０２の係合量を上回らないように設定されている。これにより、ＢｔｏＢコネクタ７０２の接続が離間されることを防止することができる。
【０１０６】
ここで、ＢｔｏＢコネクタ７０２の係合量とは、メイン基板２０４に実装された第１のコネクタ２０４ａと、センサ基板２０２に実装された第２のコネクタ２０２ａとを嵌合させた時の嵌合長に相当する。即ち、カード基板１１０１の凸形状部１４０１（第３の基板の突き当て部）と、センサ基板２０２のコネクタ実装部７０１（第２の基板）との距離は、上記の嵌合長よりも短くなる。
【０１０７】
また、図１４（ｄ）に示すように、センサ放熱板７０３の主面７０４及びカード基板１１０１によってできた三角形のスペース１４０２（点線部）に、センサ放熱板７０３の右側面側の放熱腕部７０５（放熱部）を配置している。右側面側の放熱腕部７０５は、ヘミング加工によって２重にすることで、三角形のスペース１４０２を放熱スペースとして利用している。また、三角形のスペース１４０２に対してカード基板１１０１を挟んだ反対側のスペースには、バックアップ用蓄電池１１０５（図１４（ｂ））を配置することで、スペースを有効活用している。
【０１０８】
また、図１４（ｅ）に示すように、デジタルビデオカメラ１０１の操作部２１０（図２）として、ズーム操作部１４０４、電源投入指示操作部１４０５、録画スタートストップ操作部１４０６がユニット化された操作部ユニット１４０３を備える。
【０１０９】
ズーム操作部１４０４は、一般的なビデオカメラに用いられるズーム操作部であり、スライド操作することによって被写体の拡大及び縮小を行う。電源投入指示操作部１４０５は、一般的なプッシュスイッチであり、押し圧動作に応じてデジタルビデオカメラ１０１の電源をＯＮ／ＯＦＦする。録画スタートストップ操作部１４０６も、一般的なビデオカメラに用いられる録画スタートストップ操作部であり、押し圧動作に応じて録画の開始・停止を行う。
【０１１０】
操作部ユニット１４０３は、右側面板金部材９０１と左側面板金部材９０９が上面で締結された箇所で、カード基板１１０１の上面に取り付けられる。操作部ユニット１４０３とメイン基板２０４の接続は、ＦＰＣ１４０７を介してなされる。このＦＰＣ１４０７が分岐してカード基板１１０１上のコネクタ１４０８に接続される。ＦＰＣ１４０７は、カード基板１１０１とメイン基板２０４の接続も兼ねている。
【０１１１】
図１５（ａ）は、図１４（ｅ）の状態に右側面カバー１０４及び表示部１０３を接続した状態の斜視図、図１５（ｂ）は、デジタルビデオカメラ１０１におけるバッテリ周辺部を示す底面視図、図１５（ｃ）は、図１５（ａ）の状態の後面視図である。
【０１１２】
図１５において、デジタルビデオカメラ１０１の本体部１０２の右側面カバー１０４は、本体部１０２の右側面を主たる面とするカバー部材である。右側面カバー１０４は、図１５（ａ）に示すように、本体部１０２の前方では表示部１０３との接続、本体部１０２の後方ではバッテリ取り付けの役割（バッテリ取り付け部１０８）を担っている。また、右側面カバー１０４は、本体部１０２の底面側にも外観部が伸びることによって、本体部１０２の右側面・後面・底面の３面が一体となり、高剛性なカバーとなっている。
【０１１３】
図１５（ｂ）に示すように、バッテリ２１３は、右側面カバー１０４の後面側に設けられたバッテリ取り付け部１０８に取り付けられる。バッテリ取り付け部１０８を底面視した時、バッテリ取り付け部１０８の最大左右幅１５０１と取り付けレール幅１５０２は図示の関係で、最大左右幅１５０１の中心１５０３よりも取り付けレール幅１５０２の中心１５０４が左側面側に近く構成されている。この構成は後述するバッテリ１０８の特徴に起因するものである。
【０１１４】
図１５（ｂ）で説明したバッテリ取り付け部１０８の寸法関係を後面視で図示すると、図１５（ｃ）で示すようになっている。
【０１１５】
次に、デジタルビデオカメラ１０１に取り付けられるバッテリ２１３について説明する。
【０１１６】
図１６（ａ）は、バッテリ２１３の斜視図、図１６（ｂ）は、バッテリ２１３の取り付け部の後面視図、図１６（ｃ）は、図１６（ｂ）の矢視Ｃ−Ｃ線に沿う断面図である。図１６（ｄ）、（ｅ）は、デジタルビデオカメラ１０１よりもバッテリ取り付け部の小さいデジタルビデオカメラ１６１３にバッテリ２１３を取り付けた際の模式図である。
【０１１７】
図１６において、バッテリ２１３は、図１６（ｃ）に示すように、リチウムイオン電池のセル１６０１、回路基板１６０２及びコネクタ１６０３（図１６（ａ））を、取り付け部カバー１６０４及び外観カバー１６０５により挟んで構成されている。取り付け部カバー１６０４に設けられた取り付け部の左右幅１６０６及び取り付け部カバー全体の幅かつ外観カバーの左右幅１６０７は、図１６（ｂ）に示す通りである。
【０１１８】
そして、取り付け部カバー１６０４の取り付け部の左右幅１６０６の中心１６０８は、取り付け部カバー全体の幅かつ外観カバーの左右幅１６０７の中心１６０９と一致しない。取り付け部の左右幅１６０６の中心１６０８の方が取り付け面から見た時の左側に偏っている。
【０１１９】
つまり、図１５（ｃ）に示した右側面カバー１０４に設けられたバッテリ取り付け部１０８の最大左右幅１５０１の中心１５０３よりも、取り付けレール幅１５０２の中心１５０４が左側面側に近く構成されているのは、次のことに起因している。バッテリ２１３の取り付け部の左右幅１６０６の中心１６０８の方が取り付け面から見た時の左側に偏っていることに起因している。
【０１２０】
図１６（ｃ）に示すように、バッテリ２１３の内部においても、セル１６０１の中心１６１６に対して、回路基板１６０２の中心１６１７が紙面左側に偏って構成されている。そして、セル１６０１と回路基板１６０２の偏りは左右方向だけではなく、図１６（ｂ）に示すように、上下方向にも偏りをもって構成されている。つまり、バッテリ２１３の取り付け部の上下方向の高さ１６１０は、取り付け部カバー全体の上下方向の高さかつ外観カバーの上下方向の高さ１６１１よりも上面側に偏っており、段差１６１２を生じるように構成されている。
【０１２１】
図１６（ｄ）、（ｅ）に示すように、デジタルビデオカメラ１０１よりもバッテリ取り付け部の小さいデジタルビデオカメラ１６１３は、デジタルビデオカメラ１０１と同様に、本体部１６１４及び開閉可能な表示部１６１５から構成されている。
【０１２２】
デジタルビデオカメラ１６１３のバッテリ取り付け部１０８の最大左右幅１５０１は、バッテリ２１３の取り付け部の左右幅１６０６と略同じ幅からなる。このような構成のデジタルビデオカメラ１６１３にバッテリ２１３を取り付けると、図１６（ｄ）に示すように表示部１６１５は閉じ切らないものの、バッテリ２１３を取り付けて使用することは可能である。
【０１２３】
また、デジタルビデオカメラ１６１３のバッテリ取り付け部１０８の上下方向の高さは、バッテリ２１３の取り付け部の上下方向の高さ１６１０と略同じ高さからなる。このような構成のデジタルビデオカメラ１６１３にバッテリ２１３を取り付けると、図１６（ｅ）に示すように底面から段差１６１２が飛び出すものの、バッテリ２１３を取り付けて使用することは可能である。
【０１２４】
次に、メモリカード取り出し部１１０の周辺について説明する。
【０１２５】
図１７（ａ）は、図１５（ａ）の状態の右側面視図、図１７（ｂ）は、図１７（ａ）の矢視Ｄ−Ｄ線に沿う断面図である。図１７（ｃ）は、図１７（ａ）の状態で表示部１０３を閉じた状態での上面視での断面図、図１７（ｄ）は、図１７（ａ）の状態で表示部１０３を除いた状態の外観斜視図である。
【０１２６】
図１７において、上述した通り、右側面カバー１０４はメモリカード取り出し部１１０（図１ａ（ｃ））を備えている。図１７（ｂ）、（ｃ）に示すように、カード基板１１０１はデジタルビデオカメラ１０１の本体部１０２の内部で光軸に対して傾けた状態に取り付けられているため、メモリカード取り出し部１１０も斜めに傾いている。
【０１２７】
図１７（ｂ）に示すように、メモリカード１７０２の取り出し方向は、デジタルビデオカメラ後方側に向けてメモリカード１７０２を取り出す方向に構成されている。このように構成することによって、本体部１０２に対して表示部１０３を開けた状態であれば、メモリカード１７０２の取り出し方向の延長線上で表示部１０３と干渉することが無い。
【０１２８】
メモリカード取り出し部１１０がバッテリ取り付け部１０８の近傍になるように、デジタルビデオカメラ前後方向でのバッテリ取り付け部１０８の位置が決まっている。また、上述したように、バッテリ取り付け部１０８が左側面側に偏っているため、使用者がメモリカード１７０２を取り出す時の指１７０３が入るスペース１７０４（図１７（ｂ）の点線囲み部）を設けることが可能である。
【０１２９】
上述したように、右側面カバー１０４には表示部１０３がヒンジ部１１４を介して接続されている。図１７（ｃ）に示すように、ヒンジ部１１４の開閉軸１１５を中心としたヒンジカバー１１８（図１ｂ（ｅ））の回転軌跡１７０５は、前玉固定鏡筒３０１の切り欠き部４０７に配置されている。このように構成することによって、表示部１０３を撮像レンズ鏡筒１０９の光軸中心に近付けることが可能である。デジタルビデオカメラは光軸中心と表示部の距離を近付けるほど小型に見えるという特徴があるため、このように構成することによって、小型のデジタルビデオカメラを実現することが可能である。
【０１３０】
また、ヒンジ部１１４における表示部１０３の回転を行う回転軸１１６を光軸１１３よりも下側に配置することで、表示部１０３とメイン基板２０４を接続するＦＰＣ１７０６を撮像レンズ鏡筒１０９の下側に通すことが可能となる。これにより、ＦＰＣ１７０６を表示部１０３と撮像レンズ鏡筒１０９の間のスペースを通すよりも、表示部１０３を光軸１１３に近付けることが可能となる。
【０１３１】
図１８は、図１５（ａ）の状態に前面カバー１０６を取り付けた状態を示す図である。
【０１３２】
図１８において、デジタルビデオカメラの前面カバー１０６は、撮像レンズ鏡筒１０９の開口部と音声収録用の内蔵マイクを有する。
【０１３３】
図１９（ａ）は、全てのカバーを取り付けた状態の左側面図、図１９（ｂ）は、図１９（ａ）から左側面カバー１０７を外した状態の斜視図である。
【０１３４】
図１９において、デジタルビデオカメラ１０１の左側面カバー１０７は、使用者が右手で把持する側であり、取り付けビス等を表出させても外観の美観を損ないにくいことから、最終組付けのカバーとして使用されることが多い。そして、左側面カバー１０７が最終で組み付けるカバーであるということは、完成品から分解する際に最初に取り外しが可能なカバーでもある。
【０１３５】
上述した通り、デジタルビデオカメラ１０１のカード基板１１０１の後面側には、蓄電池１１０５が実装されている（図１１（ｄ））。この蓄電池１１０５にはリチウムイオン電池が用いられることが一般的で、デジタルビデオカメラ１０１の廃棄時に本体部１０２から取り出して廃棄することが国の規制で要求されている国がある。そのため、廃棄時にデジタルビデオカメラ１０１の使用者が容易に蓄電池１１０５の取り出しを行う必要性がある。
【０１３６】
図１９（ｂ）に示すように、デジタルビデオカメラ１０１の本体部１０２から左側面カバー１０７を取り外した際に、カード基板１１０１が斜めに傾いた状態で配置されている。そのため、カード基板１１０１に実装されたバックアップ用蓄電池１１０５が視認しやすいレイアウトになっている。これにより、デジタルビデオカメラ１０１の使用者がバックアップ用蓄電池１１０５の取り出しを行う際に、左側面カバー１０７のみを外し、ラジオペンチ等の工具１９０１を挿し込んでバックアップ用蓄電池１１０５をつかんで引き出すことができる。
【０１３７】
以上説明したように、本実施の形態によれば以下の効果を奏する。
【０１３８】
カード基板１１０１の凸形状部１４０１が、センサ基板２０２のコネクタ実装部７０１を挟んでコネクタ実装部７０１の第２のコネクタ２０２ａの実装面に対し反対側に位置するよう構成する。更に、第１のコネクタ２０４ａと第２のコネクタ２０２ａの嵌合面の対角線上に位置するように構成する。これにより、従来のように基板間の電気的接続であるＢｔｏＢ接続の接続不良を防ぐために基板を所定角度折り曲げる必要があるといった、基板の折り曲げ構成を特定の構成に限定することなく、確実にＢｔｏＢ接続を保持可能な構成を提供することができる。
【０１３９】
また、カード基板１１０１を撮像レンズ鏡筒１０９の被写体側から見た投影面積が、撮像レンズ鏡筒１０９の投影面積と同じか小さくなるように構成する。これにより、カード型記録媒体が装着されるカード基板よりも光軸方向の投影面積が小さい撮像レンズ鏡筒を搭載したデジタルビデオカメラにおいて、小型な本体を提供する上で有利なデジタルビデオカメラを提供することができる。
【符号の説明】
【０１４０】
２０２  センサ基板
２０２ａ  第２のコネクタ
２０４  メイン基板
２０４ａ  第１のコネクタ
７０２  ＢｔｏＢコネクタ
９０１  右側面板金部材
９０９  左側面板金部材
１１０１  カード基板
１４０１  凸形状部
【図１ａ】
2013130797.tif 000003
【図１ｂ】
2013130797.tif 000004
【図２】
2013130797.tif 000005
【図３】
2013130797.tif 000006
【図４】
2013130797.tif 000007
【図５】
2013130797.tif 000008
【図６】
2013130797.tif 000009
【図７】
2013130797.tif 000010
【図８】
2013130797.tif 000011
【図９】
2013130797.tif 000012
【図１０】
2013130797.tif 000013
【図１１】
2013130797.tif 000014
【図１２】
2013130797.tif 000015
【図１３】
2013130797.tif 000016
【図１４】
2013130797.tif 000017
【図１５】
2013130797.tif 000018
【図１６】
2013130797.tif 000019
【図１７】
2013130797.tif 000020
【図１８】
2013130797.tif 000021
【図１９】
2013130797.tif 000022